(57)【特許請求の範囲】
【請求項１】
レンズ鏡筒の外周部に回動可能に設け、かつレンズを移動させる調整用リングのラックに対して駆動モータ部により回転するピニオンを噛合させた、フォーカスレンズを移動させるフォーカスレンズ移動機構及びズームレンズを移動させるズームレンズ移動機構を備える電動式レンズ装置において、前記レンズ鏡筒の外周部に装着可能な筒形に形成し、かつ外面に少なくとも前記駆動モータ部を取付けるモータ取付部及びレンズ側マウント部を一体に形成した取付用筒部と、この取付用筒部の後端に、中心方向に向いたリング形に一体に形成し、かつ前記レンズ鏡筒の後端面に取付可能なフランジ部を有することにより、前記レンズ鏡筒の外周部に装着した際に前記レンズ鏡筒に固定する固定部，又は前記レンズ鏡筒の外周部に前記取付用筒部を装着した際に当該取付用筒部の前部外周面を前記レンズ鏡筒に固定する固定部とを備えてなることを特徴とする電動式レンズ装置。
【請求項２】
前記フォーカスレンズ移動機構の前記モータ取付部と前記ズームレンズ移動機構の前記モータ取付部は、近接させて配し、かつ前記取付用筒部の外面から同一方向に突出形成することを特徴とする請求項１記載の電動式レンズ装置。
【請求項３】
前記取付用筒部の外面には、前部が固定された駆動モータ部の後部を支持して当該駆動モータ部を保持する突起状のモータ規制部を一体形成することを特徴とする請求項１又は２記載の電動式レンズ装置。
【請求項４】
前記取付用筒部の外面には、前記駆動モータ部のリード配線を接続する接続端子を取付けるための突起状の端子台部を一体形成することを特徴とする請求項１，２又は３記載の電動式レンズ装置。
【請求項５】
前記取付用筒部の外面には、前記駆動モータ部のリード配線の引回し位置を規制する突起状の配線規制部を一体形成することを特徴とする請求項１〜４のいずれかに記載の電動式レンズ装置。
【発明の詳細な説明】
【技術分野】
【０００１】
本発明は、駆動モータ部によりレンズを移動させるレンズ移動機構を備えるプロジェクタ等に用いて好適な電動式レンズ装置に関する。
【背景技術】
【０００２】
一般に、プロジェクタは投射用のレンズ装置を搭載するが、特に、リモートコントロール（リモコン）等によりフォーカシングやズーミングを行う電動式レンズ装置では、レンズ鏡筒の外周部に回動可能に設けた調整用リングのラックに、駆動モータ部により回転するピニオンを噛合させたレンズ移動機構を備えている。
【０００３】
従来、このようなレンズ移動機構としては、特許文献１で開示されるズームレンズ鏡胴及び特許文献２で開示されるレンズ駆動装置が知られている。特許文献１で開示されるズームレンズ鏡胴は、光軸方向にカム作用をなすカム筒と、レンズを保持しカム筒により光軸方向に相対的に移動して変倍動作を行う複数のレンズ移動枠と、複数のレンズ移動枠のうち先端に位置する第１レンズ移動枠に対し回転により光軸方向に移動可能に連結されかつレンズを保持して合焦動作を行うフォーカス用移動枠と、カム筒を回動自在に支持しかつ複数のレンズ移動枠を光軸方向に案内する固定筒と、カム筒に回転駆動力を及ぼす第１モータと、を備えたズームレンズ鏡胴であって、フォーカス用移動枠及び固定筒には、光軸方向の所定位置での回転力に連動させてフォーカス用移動枠を光軸方向に移動させる連動機構と、連動機構に回転駆動力を及ぼす第２モータと、を備えたものである。また、特許文献２で開示されるレンズ駆動装置は、光学系を格納し、光学系を駆動するための操作リングが外周部に形成されたレンズ鏡胴を駆動するためのレンズ駆動装置であって、レンズ鏡胴の外周部に装着され、操作リングに連結されるモーターと、レンズ鏡胴の外周面に固定される第１平面部と、レンズ鏡胴の外周面に沿うように第１平面部に対して屈曲部を介して連続するモーター取付部とを含むモーター保持板とを備え、モーターは、モーター取付部のレンズ鏡胴とは反対側の面に取り付けて構成されたものである。
【先行技術文献】
【特許文献】
【０００４】
【特許文献１】特開２００４−２４００３０号公報
【特許文献２】特開２００９−００３１００号公報
【発明の概要】
【発明が解決しようとする課題】
【０００５】
しかし、上述したレンズ移動機構を備える従来の電動式レンズ装置は、次のような問題点があった。
【０００６】
第一に、レンズ鏡筒の外周部に、直接、駆動モータ部の取付けを行うとともに、レンズ鏡筒の外周部に取付けた駆動モータ部から導出されるリード配線の引回し及び接続等を行う必要があるため、取付作業性の低下及び組付能率の低下を招くとともに、レンズ鏡筒を無用に傷付けてしまうなどの二次的な不具合も生じやすい。特に、このような問題はレンズ鏡筒が大型化するほど大きくなるため、大型のレンズ鏡筒では無視できない。
【０００７】
第二に、レンズ鏡筒の外周部に設けた調整用リングを駆動モータ部により回動させるため、駆動モータ部はレンズ鏡筒の外周部に取付ける必要がある。したがって、別途の取付用の金属金具を用意する必要があるとともに、通常、フォーカシング及びズーミングのための二つのレンズ移動機構を備えるため、少なくとも二つの金属金具或いは二つモータを取付ける大型サイズの金属金具が必要になり、部品点数の増加，取付工数の増加及びこれらに伴うコストアップを招く。
【０００８】
本発明は、このような背景技術に存在する課題を解決した電動式レンズ装置の提供を目的とするものである。
【課題を解決するための手段】
【０００９】
本発明は、上述した課題を解決するため、レンズ鏡筒２の外周部２ｓに回動可能に設け、かつレンズを移動させる調整用リング３ｆ，３ｚのラック４ｆ，４ｚに対して駆動モータ部５ｆ，５ｚにより回転するピニオン６ｆ，６ｚを噛合させた、フォーカスレンズを移動させるフォーカスレンズ移動機構Ｍｆ及びズームレンズを移動させるズームレンズ移動機構Ｍｚを備える電動式レンズ装置１を構成するに際して、レンズ鏡筒２の外周部２ｓに装着可能な筒形に形成し、かつ外面７ｅに少なくとも駆動モータ部５ｆ，５ｚを取付けるモータ取付部８ｆ，８ｚ及びレンズ側マウント部１６を一体に形成した取付用筒部７と、この取付用筒部７の後端に、中心方向に向いたリング形に一体に形成し、かつレンズ鏡筒２の後端面に取付可能なフランジ部２６を有することにより、レンズ鏡筒２の外周部２ｓに装着した際にレンズ鏡筒２に固定する固定部９，又はレンズ鏡筒２の外周部に取付用筒部７を装着した際に当該取付用筒部７の前部外周面をレンズ鏡筒２に固定する固定部９とを備えてなることを特徴とする。
【００１０】
この場合、発明の好適な態様により、フォーカスレンズ移動機構Ｍｆのモータ取付部８ｆとズームレンズ移動機構Ｍｚのモータ取付部８ｚは、近接させて配し、かつ取付用筒部７の外面７ｅから同一方向に突出形成することができる。一方、取付用筒部７の外面７ｅには、前部が固定された駆動モータ部５ｆ，５ｚの後部を支持して当該駆動モータ部５ｆ，５ｚを保持する突起状のモータ規制部１１ｆ，１１ｚを一体形成することができる。さらに、取付用筒部７の外面７ｅには、駆動モータ部５ｆ，５ｚのリード配線１２ｆ，１２ｚを接続する接続端子１３…を取付けるための突起状の端子台部１４を一体形成することができるとともに、取付用筒部７の外面７ｅには、駆動モータ部５ｆ，５ｚのリード配線１２ｆ，１２ｚの引回し位置を規制する突起状の配線規制部１５を一体形成することができる。
【発明の効果】
【００１１】
このような構成を有する本発明に係る電動式レンズ装置１によれば、次のような顕著な効果を奏する。
【００１２】
（１）  予め取付用筒部７に駆動モータ部５ｆ，５ｚを取付けた後、この取付用筒部７をレンズ鏡筒２の外周部２ｓに装着できるため、レンズ鏡筒２の外周部２ｓに対して駆動モータ部５ｆ，５ｚを直接組付ける必要が無くなる。したがって、組付作業性の向上及び組付能率の向上を図ることができるとともに、レンズ鏡筒２を無用に傷付けてしまうなどの二次的弊害を回避できる。
【００１３】
（２）  駆動モータ部５ｆ，５ｚをレンズ鏡筒２の外周部２ｓに取付けるための別途の金具が不要になるとともに、金具をねじ止め等によりレンズ鏡筒２に取付けるための取付工程が不要になる。したがって、部品点数の削減及び組立工数の低減を図れるとともに、これらに伴うコストダウンを図ることができる。
【００１４】
（３）  レンズ鏡筒２の外周部２ｓに装着可能な筒形に形成した取付用筒部７を備えるため、取付用筒部７は、レンズ鏡筒２の外周部２ｓを覆う外部カバーに兼用することが可能となり、レンズ鏡筒２を外的に保護することができる。
【００１５】
（４）  レンズ移動機構（Ｍｆ，Ｍｚ）として、フォーカスレンズを移動させるフォーカスレンズ移動機構Ｍｆ及びズームレンズを移動させるズームレンズ移動機構Ｍｚを含ませたため、一つの取付用筒部７を二つの移動機構Ｍｆ，Ｍｚに共用でき、取付用筒部７の利用性をより高めることができる。
【００１６】
（５）  取付用筒部７には、レンズ側マウント部１６を一体形成したため、レンズ鏡筒２側の形状（構成）をより単純化でき、レンズ鏡筒２の製造性（成形性）をより高めることができるとともに、レンズ鏡筒２の精度向上にも寄与できる。
【００１７】
（６）  好適な態様により、フォーカスレンズ移動機構Ｍｆのモータ取付部８ｆとズームレンズ移動機構Ｍｚのモータ取付部８ｚを、近接させて配し、かつ取付用筒部７の外面７ｅから同一方向に突出形成すれば、二つの移動機構Ｍｆ，Ｍｚに適用し、取付用筒部７を金型により一体成形する場合であっても、型開方向を単純化できるため、金型設計及び製造（成形）の容易化に寄与できる。
【００１８】
（７）  好適な態様により、取付用筒部７の外面７ｅに、前部が固定された駆動モータ部５ｆ，５ｚの後部を支持して当該駆動モータ部５ｆ，５ｚを保持する突起状のモータ規制部１１ｆ，１１ｚを一体形成すれば、ピニオン６ｆ，６ｚが浮上がりラック４ｆ，４ｚに対する噛合が外れる不具合を回避できるため、ピニオン６ｆ，６ｚとラック４ｆ，４ｚの噛合を確実に維持できる。
【００１９】
（８）  好適な態様により、取付用筒部７の外面７ｅに、駆動モータ部５ｆ，５ｚのリード配線１２ｆ，１２ｚを接続する接続端子１３…を取付けるための突起状の端子台部１４を一体形成すれば、取付用筒部７の外面７ｅに対して、別途の端子台部１４を固定ネジ等により取付ける必要が無くなるため、更なる部品点数の削減，組立工数の低減及びコストダウンに寄与できる。
【００２０】
（９）  好適な態様により、取付用筒部７の外面７ｅに、駆動モータ部５ｆ，５ｚのリード配線１２ｆ，１２ｚの引回し位置を規制する突起状の配線規制部１５を一体形成すれば、各駆動モータ部５ｆ，５ｚにおけるリード配線１２ｆ，１２ｚの接続端子１３…に対する誤接続防止に寄与できる。
【図面の簡単な説明】
【００２１】
【図１】本発明の好適実施形態に係る電動式レンズ装置に備えるレンズ鏡筒と取付用筒部の斜視図、
【図２】同取付用筒部におけるモータ取付部を示す断面背面図、
【図３】同取付用筒部における端子台部及び接続端子を示す断面側面図、
【図４】同取付用筒部及びこの取付用筒部をレンズ鏡筒に装着した状態を示す一部断面側面図、
【図５】同取付用筒部に駆動モータ部を取付け、かつレンズ鏡筒に装着した状態を示す平面図、
【図６】同取付用筒部におけるモータ取付部に駆動モータ部を取付けた状態を示す平面図、
【図７】同取付用筒部におけるモータ取付部に駆動モータ部を取付けた状態を示す背面図、
【図８】同取付用筒部の変更例であってレンズ鏡筒に装着した状態を示す一部断面側面図、
【発明を実施するための形態】
【００２２】
次に、本発明に係る好適実施形態を挙げ、図面に基づき詳細に説明する。
【００２３】
まず、本実施形態に係る電動式レンズ装置１の主要構成部品について、図１〜図７を参照して説明する。
【００２４】
例示は、プロジェクタ用の電動式レンズ装置１を示す。電動式レンズ装置１は、図１に示すレンズ鏡筒２を備える。レンズ鏡筒２の内部は、図示を省略したが、少なくとも、フォーカスレンズ及びズームレンズを含む複数のレンズ（レンズ群）を収容した公知のレンズ鏡筒として構成される。一方、レンズ鏡筒２の外周部２ｓには、回動可能に設け、かつ外周面に周方向のラック４ｆを形成したフォーカス調整用リング３ｆを備えるとともに、回動可能に設け、外周面に周方向のラック４ｚを形成したズーム調整用リング３ｚを備える。これにより、後述する駆動モータ部５ｆによりフォーカス調整用リング３ｆを回動させれば、内部のフォーカスレンズが前後方向に移動し、フォーカシング調整を行うことができるフォーカスレンズ移動機構Ｍｆが構成されるとともに、後述する駆動モータ部５ｚによりズーム調整用リング３ｚを回動させれば、内部のズームレンズが前後方向に移動し、ズーミング調整を行うことができるズームレンズ移動機構Ｍｚが構成される。
【００２５】
また、電動式レンズ装置１は、レンズ鏡筒２の外周部２ｓに対して後部から装着可能な筒形に形成した取付用筒部７を備える。この取付用筒部７は、合成樹脂により一体成形し、外面（外周面）７ｅの前寄りには、フォーカスレンズ移動機構Ｍｆにおけるモータ取付部８ｆを一体形成するとともに、ズームレンズ移動機構Ｍｚにおけるモータ取付部８ｚを一体形成する。
【００２６】
この場合、モータ取付部８ｚは、取付用筒部７の前端における外面７ｅから直角に起立し、駆動モータ部５ｚの前部（前面部）を支持する支持壁部８ｚｃと駆動モータ部５ｆの前部（前面部）を支持する支持壁部８ｆｃを有する。この際、支持壁部８ｆｃは支持壁部８ｚｃに対して所定間隔だけ前側にオフセットした位置に配し、この所定間隔は、ズーム調整用リング３ｚとフォーカス調整用リング３ｆの間隔に設定するとともに、支持壁部８ｆｃと支持壁部８ｚｃは周方向に隣接させる。また、支持壁部８ｆｃは、左右に位置する二つのネジ孔部２１ｆ，２１ｆと、このネジ孔部２１ｆと２１ｆ間に位置し、かつ駆動モータ部５ｆの出力軸５ｆｅを挿通させるＵ形の切欠収容部２２ｆを形成するとともに、支持壁部８ｚｃには、左右に位置する二つのネジ孔部２１ｚ，２１ｚと、このネジ孔部２１ｚと２１ｚ間に位置し、かつ駆動モータ部５ｚの出力軸５ｚｅを挿通させるＵ形の切欠収容部２２ｚを形成する。さらに、支持壁部８ｚｃの左右両端位置から後方へ、補強を兼ねる側面壁部８ｚｐ，８ｚｑを一体形成するとともに、支持壁部８ｆｃの左右両端位置から後方へ、補強を兼ねる側面壁部８ｆｐ，８ｆｑを一体形成する。支持壁部８ｆｃと支持壁部８ｚｃは周方向に隣接、即ち、モータ取付部８ｆと８ｚは、隣同士として近接させて配するため、側面壁部８ｚｐと８ｆｑは、一部を共通壁部として形成する。
【００２７】
モータ取付部８ｆ，８ｚを構成する、支持壁部８ｆｃ、側面壁部８ｆｐ，８ｆｑ、支持壁部８ｚｃ、側面壁部８ｚｐ，８ｚｑは、図２に示すように、取付用筒部７の外面７ｅから同一方向に突出形成する。これにより、フォーカスレンズ移動機構Ｍｆとズームレンズ移動機構Ｍｚの二つの移動機構Ｍｆ，Ｍｚを備え、合成樹脂により取付用筒部７を金型により一体成形する場合であっても、型開方向を単純化できる。即ち、図２において、モータ取付部８ｆ，８ｚを形成する金型の一部を上方へ移動させるのみで型開きを行うことができるなど、金型設計及び製造（成形）の容易化に寄与できる。なお、例示の取付用筒部７は、フォーカスレンズを移動させるフォーカスレンズ移動機構Ｍｆ及びズームレンズを移動させるズームレンズ移動機構Ｍｚの双方を含むため、一つの取付用筒部７を二つの移動機構Ｍｆ，Ｍｚに共用でき、取付用筒部７の利用性を高めることができる。
【００２８】
さらに、取付用筒部７の外面７ｅであって、各支持壁部８ｆｃ，８ｚｃの後方には、当該支持壁部８ｆｃ，８ｚｃにより前部（前面部）が支持される駆動モータ部５ｆ，５ｚのの後部を支持して当該駆動モータ部５ｆ，５ｚを保持する突起状のモータ規制部１１ｆ，１１ｚを一体形成する。一方、取付用筒部７の外面７ｅであって、支持壁部８ｆｃの後方には、駆動モータ部５ｆ，５ｚのリード配線１２ｆ，１２ｚを接続する接続端子１３…を取付けるための突起状の端子台部１４を一体形成する。この場合、各駆動モータ部５ｆ，５ｚから導出されるリード配線１２ｆ，１２ｚはそれぞれ二本、計四本となるため、端子台部１４には、四つの接続端子１３…を取付ける。したがって、端子台部１４には、図３及び図５に示すように、固定ネジＮｃ…が螺着して各接続端子１３…を固定する四つのネジ孔部２５…を有する。このように、取付用筒部７に、端子台部１４を一体形成すれば、別途の端子台部１４を固定ネジ等により取付ける必要が無くなるため、更なる部品点数の削減，組立工数の低減及びコストダウンに寄与できる。また、端子台部１４の前方には、駆動モータ部５ｆ，５ｚのリード配線１２ｆ，１２ｚの引回し位置を規制する突起状（ピン状）の配線規制部１５を一体形成する。
【００２９】
一方、取付用筒部７の後端部には、レンズ側マウント部１６を一体形成する。したがって、このレンズ側マウント部１６は、不図示のプロジェクタ側マウント部に対して、着脱可能に装着することができる。このように、取付用筒部７にレンズ側マウント部１６を一体形成すれば、レンズ鏡筒２側の形状（構成）をより単純化できるため、レンズ鏡筒２の製造性（成形性）をより高めることができるとともに、レンズ鏡筒２の精度向上にも寄与できる利点がある。
【００３０】
また、取付用筒部７の後端には、図４に示すように、中心方向に向いたリング形のフランジ部２６を一体形成するとともに、このフランジ部２６には、複数のネジ挿通孔２７…を周方向に沿って等間隔に形成する。このため、前述したレンズ鏡筒２の後端面には、ネジ挿通孔２７…の位置に対応するネジ孔部２８…を形成する。これにより、複数の固定ネジＮｘ…をそれぞれネジ挿通孔２７…に挿通させ、ネジ孔部２８…に螺着することができる。即ち、レンズ鏡筒２の外周部２ｓに装着した取付用筒部７をレンズ鏡筒２に固定する固定部９が構成される。
【００３１】
他方、電動式レンズ装置１は、取付用筒部７に取付ける二つの駆動モータ部５ｆ，５ｚを備える。なお、例示する二つの駆動モータ部５ｆ，５ｚは同一である。一方の駆動モータ部５ｚは、図６に示すように、モータ本体３１と、このモータ本体３１の前端に設けた減速ギアボックス３２と、この減速ギアボックス３２から前方に突出した出力軸５ｚｅを備える。また、減速ギアボックス３２の左右には、取付ネジＮｓ，Ｎｓが挿通する一対のブラケット部３４，３４を一体形成する。前述したネジ孔部２１ｚ，２１ｚは、ブラケット部３４，３４の位置に対応させて設ける。さらに、出力軸５ｚｅにはピニオン６ｚを設ける。この場合、ピニオン６ｚは出力軸５ｚｅに対して回動可能に取付けるとともに、出力軸５ｚｅに設けたスプリング３５ｓにより加圧する加圧機構３５を付設する。したがって、ピニオン６ｚが噛合するラック４ｚの回動範囲では、出力軸５ｚｅの回転がすべりを生じることなくピニオン６ｚに対して伝達されるとともに、ラック４ｚの回動範囲の限界端では、停止したピニオン６ｚに対して出力軸５ｚｅの回転がすべりにより空転するように設定する。他方の駆動モータ部５ｆも同じであり、６ｆは駆動モータ部５ｆにより回転するピニオンを示す。
【００３２】
次に、本実施形態に係る電動式レンズ装置１の組立方法及び各部の機能について、図１〜図８を参照して説明する。
【００３３】
まず、取付用筒部７の単品を用意し、この取付用筒部７に対して二つの駆動モータ部５ｚ，５ｆを取付ける。この場合、駆動モータ部５ｚをモータ取付部８ｚにセットし、図６に示すように、二つの取付ネジＮｓ…を、それぞれブラケット部３４，３４に挿通させ、ネジ孔部２１ｚ，２１ｚに螺着して取付ける。これにより、駆動モータ部５ｚの前部（前面部）が支持壁部８ｚｃに固定されるとともに、出力軸５ｚｅは切欠収容部２２ｚを通して支持壁部８ｚｃの前方に突出する。そして、ピニオン６ｚは、ズーム調整用リング３ｚのラック４ｚに噛合する。この際、駆動モータ部５ｚの後部は、図７に示すように、突起状のモータ規制部１１ｚにより支持される。したがって、例示のように、駆動モータ部５ｚの前部がモータ取付部８ｚに支持される場合であっても、駆動モータ部５ｚの位置は保持され、ピニオン６ｚが浮上がり、ラック４ｚに対する噛合が外れる不具合は回避され、もって、ピニオン６ｚとラック４ｚの噛合は確実に維持される。他方の駆動モータ部５ｆもモータ取付部８ｆに対して、上述した駆動モータ部５ｚと同様に取付けることができる。この場合、ピニオン６ｆは、フォーカス調整用リング３ｆのラック４ｆに噛合するとともに、駆動モータ部５ｆの後部は、突起状のモータ規制部１１ｆにより支持される。
【００３４】
また、四つの接続端子１３…を用意し、一方の駆動モータ部５ｆにおける二本のリード配線１２ｆに二つの接続端子１３，１３を半田付等により接続するとともに、他方の駆動モータ部５ｚにおける二本のリード配線１２ｚに二つの接続端子１３，１３を半田付等により接続する。そして、図３に示すように、各固定ネジＮｃ…をそれぞれ各接続端子１３…の取付用孔に挿通させ、端子台部１４における四つのネジ孔部２５…にそれぞれ螺着する。これにより、端子台部１４には、四つの接続端子１３…が一定間隔毎に固定される。この際、一方の駆動モータ部５ｆにおける二本のリード配線１２ｆは、配線規制部１５の右側（駆動モータ部５ｆ側）の空間を通して端子台部１４に至らせることにより、右側の対応する二つのネジ孔部２５…に各接続端子１３，１３を取付けるとともに、他方の駆動モータ部５ｚにおける二本のリード配線１２ｚは、配線規制部１５の左側（駆動モータ部５ｚ側）の空間を通して端子台部１４に至らせることにより、左側の対応する二つのネジ孔部２５…に各接続端子１３，１３を取付ける。このように、端子台部１４と駆動モータ部５ｆ，５ｚ間に、リード配線１２ｆ，１２ｚの引回し位置を規制する突起状の配線規制部１５を設ければ、各駆動モータ部５ｆ，５ｚにおけるリード配線１２ｆ，１２ｚの接続端子１３…に対する誤接続防止に寄与できる利点がある。
【００３５】
以上の組立工程により、取付用筒部７に、二つの駆動モータ部５ｆ，５ｚ及び四つの接続端子１３…を取付けた中間アッセンブリＡが得られる。この中間アッセンブリＡは、図４に示すように、レンズ鏡筒２の外周部２ｓに対して後部から装着する。これにより、駆動モータ部５ｆのピニオン６ｆは、フォーカス調整用リング３ｆのラック４ｆに噛合するとともに、駆動モータ部５ｚのピニオン６ｚは、ズーム調整用リング３ｚのラック４ｚに噛合する。そして、装着した状態において、複数の固定ネジＮｘ…をそれぞれ各ネジ挿通孔２７…に挿通させ、ネジ孔部２８…に螺着する。これにより、レンズ鏡筒２の外周部２ｓに装着した取付用筒部７は、レンズ鏡筒２に固定され、図５に示す電動式レンズ装置１を得ることができる。
【００３６】
よって、このような本実施形態に係る電動式レンズ装置１によれば、予め取付用筒部７に駆動モータ部５ｆ，５ｚを取付けた後、この取付用筒部７をレンズ鏡筒２の外周部２ｓに装着できるため、レンズ鏡筒２の外周部２ｓに対して駆動モータ部５ｆ，５ｚを直接組付ける必要が無くなる。したがって、組付作業性の向上及び組付能率の向上を図ることができるとともに、レンズ鏡筒２を無用に傷付けてしまうなどの二次的弊害を回避できる。また、駆動モータ部５ｆ，５ｚをレンズ鏡筒２の外周部２ｓに取付ける従来のような別途の金具が不要になるとともに、この金具をねじ止め等によりレンズ鏡筒２に取付けるための取付工程が不要になる。したがって、部品点数の削減及び組立工数の低減を図れるとともに、これらに伴うコストダウンを図ることができる。しかも、レンズ鏡筒２の外周部２ｓに装着可能な筒形に形成した取付用筒部７を備えるため、取付用筒部７は、レンズ鏡筒２の外周部２ｓを覆う外部カバーに兼用することが可能となり、レンズ鏡筒２を外的に保護することができる。
【００３７】
さらに、本実施形態に係る電動式レンズ装置１は、レンズ鏡筒２に対して別体に形成する取付用筒部７を用いるため、図８（ａ），（ｂ）に示すように、複数の異なるレンズ鏡筒２（２ｘ，２ｙ）に対して共用することも可能となる。なお、図８（ａ），（ｂ）に例示する取付用筒部７は、図４に示したフランジ部２６は設けないとともに、固定部９は取付用筒部７の前部外周面に設けた場合を示す。図８において、図１〜図７と同一部分には同一符号を付し、その構成を明確にするとともに、その詳細な説明は省略する。
【００３８】
以上、好適実施形態について詳細に説明したが、本発明は、このような実施形態に限定されるものではなく、細部の構成，形状，素材，数量等において、本発明の要旨を逸脱しない範囲で、任意に変更，追加，削除することができる。例えば、フォーカスレンズ移動機構Ｍｆのモータ取付部８ｆとズームレンズ移動機構Ｍｚのモータ取付部８ｚは、近接させて配し、かつ取付用筒部７の外面７ｅから同一方向に突出形成する場合を例示したが、二つのモータ取付部８ｆと８ｚを取付用筒部７に対して１８０゜対向する位置に配するなど、両者の配設位置は問わない。他方、例示したモータ規制部１１ｆ，１１ｚ，端子台部１４及び配線規制部１５は、必須のものではなく、必要により設けることができる。
【産業上の利用可能性】
【００３９】
本発明に係る電動式レンズ装置は、プロジェクタ及びスチルカメラ等の各種光学機器における電動式レンズ装置として利用できる。
【符号の説明】
【００４０】
１：電動式レンズ装置，２：レンズ鏡筒，２ｓ：レンズ鏡筒の外周部，３ｆ：調整用リング，３ｚ：調整用リング，４ｆ：ラック，４ｚ：ラック，５ｆ：駆動モータ部，５ｚ：駆動モータ部，６ｆ：ピニオン，６ｚ：ピニオン，７：取付用筒部，７ｅ：取付用筒部の外面，８ｆ：モータ取付部，８ｚ：モータ取付部，９：固定部，１１ｆ：モータ規制部，１１ｚ：モータ規制部，１２ｆ：リード配線，１２ｚ：リード配線，１３…：接続端子，１４：端子台部，１５：配線規制部，１６：レンズ側マウント部，Ｍｆ：レンズ移動機構（フォーカスレンズ移動機構），Ｍｚ：レンズ移動機構（ズームレンズ移動機構），２６：フランジ部
【図１】
0005786240.tif 000002
【図２】
0005786240.tif 000003
【図３】
0005786240.tif 000004
【図４】
0005786240.tif 000005
【図５】
0005786240.tif 000006
【図６】
0005786240.tif 000007
【図７】
0005786240.tif 000008
【図８】
0005786240.tif 000009